(57)【特許請求の範囲】
【請求項１】
水素浴を行う水素浴ユニットであって、水素ガス及び空気が満たされている円筒状の水素カプセルとする容器と、前記容器の上壁において利用者が顔を露出させるための円形状の孔と利用者が水素ガスを吸引するための円形状の孔とを一部重複させながら一定の方向に連ねて長孔状に形成した瓢箪型の開口部と、水源から供給された水を電気分解することにより前記容器に供給される水素ガスを発生させる水素発生装置と、前記水素発生装置には前記電気分解による水素ガスの生成により生成される酸素を前記容器の外部となる大気中に排出する酸素排出口とを有すること、を特徴とする水素浴ユニット。
【請求項２】
前記容器の外部に設けられ、利用者が飲料する飲料用水素水を生成する水素水生成装置と、該生成装置から供給される飲料用水素水を供給する水素水供給口とを更に有することを特徴とする請求項１に記載の水素浴ユニット。
【請求項３】
前記容器の外部となる大気中における水素ガス濃度が既定値よりも高いと判断されたときに、前記水素発生装置を停止させる制御信号を生成する制御装置を有することを特徴とする請求項２に記載の水素浴ユニット
【発明の詳細な説明】
【技術分野】
【０００１】
本発明は、水素浴ユニットに関し、特に水素が供給される容器を有する水素浴ユニットに関する。
【背景技術】
【０００２】
近年の健康ブームから健康増進効果や美容効果を高める目的で、例えば酸素浴を行う酸素浴ユニットが提案されている。このような酸素浴ユニットは、例えば、特許文献１および特許文献２に示す技術が参照される。
【先行技術文献】
【特許文献】
【０００３】
【特許文献１】特開２００６−７５４８２号
【特許文献２】特開２００８−５９１６号
【発明の概要】
【発明が解決しようとする課題】
【０００４】
しかしながら、近時は需要者の嗜好の多様化から斬新な発想で健康増進効果や美容効果を高めることができる技術の提案が強く求められていた。
本発明はこのような事情に鑑みてなされたものであり、健康増進効果や美容効果を高めることができる水素浴ユニットを提供することを目的とする。
【課題を解決するための手段】
【０００５】
上記目的を達成するために、水素浴ユニットに係る請求項１の発明は、水素浴を行う水素浴ユニットであって、水素が供給される容器と、容器に供給される水素を発生させる水素発生装置と、を有することを特徴とする。
本発明によれば、水素が供給される容器と、容器に供給される水素を発生させる水素発生装置と、を有することとしたので、利用者が容器内に入り水素浴を行うことができる。これにより、身体の外部からより詳しくは皮膚から水素を摂取することができ、水素の還元効果によって健康増進効果や美容効果を高めることができる。
【０００６】
容器の外部に設けられ水素水が供給される水素水供給口を更に有することとすれば、利用者が、水素水供給口から供給される水素水を飲料しながら容器内に入り水素浴を行うことができる。これにより、身体の外部より詳しくは皮膚からのみならず身体の内部からも水素を摂取することができ、水素の還元効果によって健康増進効果や美容効果を更に高めることができる。
【０００７】
水素水供給口から供給される飲料用水素水を生成する水素水生成器を有することとすることができる（請求項２）。
【０００８】
水素発生装置は、水素の発生により生成される酸素を排出する酸素排出口を有することとすれば、発生する水素ガスの純度を高純度（高濃度）に設定することができる（請求項１）。
【０００９】
水素発生装置により発生される水素は、水素ガスとし、容器に供給される水素は、水素ガスとすることができる（請求項１）。
【００１０】
水素ガスが満たされている容器は、上壁が設けられ、上壁に開口が形成されることとすることができる（請求項１）。
【００１１】
開口は、利用者が顔を露出させるための孔と、水素が流出し利用者が水素を吸引するための孔と、を有することとすれば（請求項１）、より詳しくは、開口は、孔を連ねて長孔状に形成することとすれば（請求項１）、例えば、利用者が開口から顔を露出させる場合にあっても、開口から確実に水素を吸引することができる。
【００１２】
容器の外部における水素濃度が規定値よりも高いと判断されたときに水素発生装置を停止させる制御信号を生成する制御装置を有することとすれば、容器の外部において水素濃度が高濃度となる場合にあっても、水素発生装置を停止させることができ、安全性を向上させることができる（請求項１、請求項３）。
【発明の効果】
【００１３】
水素には、水素還元効果、すなわち、悪玉活性酸素を除去する働きがあることが一般的に知られている。本発明によれば、身体の外部からだけではなく、内部からも水素を摂取することができ、それによって、利用者は水素還元効果をより効率的に享受することが出来るようになり、健康増進効果や美容効果を高めることができる。
【図面の簡単な説明】
【００１４】
【図１】本発明の実施形態に係る水素浴ユニットの構成を示す系統図である。
【図２】同水素浴ユニットにおける制御装置の構成を示すブロック図である。
【図３】同水素浴ユニットにおける水素カプセルの構成を示す平面図である。
【図４】同水素浴ユニットにおける水素カプセルの構成を示す斜視図である。
【発明を実施するための形態】
【００１５】
以下、本発明の実施形態について図１、図３及び図４を参照して詳細に説明する。本発明の実施形態の水素浴ユニット２００は、容器２８０を備えた構成となっており、純水生成装置１２０、水素発生装置１３０、自然水供給器１４０、水素水生成器１５０、水素水供給口１６０、水素吹き出し口２７０、容器２８０、換気ファン１９０、検出器１９３、および制御装置１９５を有している。
【００１６】
つまり、本実施形態においては、容器２８０は、水素カプセル２８０としており、水素カプセル２８０には、気体、より詳しくは水素ガスが満たされている。
水素カプセル２８０は、筒状より詳しくは円筒状に形成されており、底部２８０ａより詳しくは底壁２８０ａ、側部２８０ｂより詳しくは側壁２８０ｂ、および上部２８０ｃより詳しくは上壁２８０ｃからなる。水素カプセル２８０は、一般的な体格を有する利用者が無理なく入ることができる寸法、形状に形成されている。
【００１７】
上壁２８０ｃは、側壁２８０ｂに対し開閉自在に形成されており、上壁２８０ｃの中央部には、開口２８０ｄが形成されている。
開口２８０ｄは、一般的な体格を有する利用者が頭から首を外部に露出させることができるようにその寸法が設定されており、利用者の首の周りに十分な寸法の開口が形成されるようにしている。
【００１８】
すなわち、図３に示すように、開口２８０ｄは、長孔状に形成されており、円形の孔を一定の方向に複数連ねて形成される。より詳しくは、開口２８０ｄは、２つの等しい大きさの円形の孔２８０ｅ、２８０ｆを有し、これらの孔２８０ａ，２８０ｂを一部重複させながら一定の方向に連ねて形成されており、瓢箪型をなしている。これにより、例えば、利用者が一方の円形の孔２８０ｅにより形成される開口から顔を露出させる場合にあっても、利用者の周囲により詳しくは利用者の前方側に他方の円形の孔２８０ｆにより形成される開口を更に有するようにすることができ、利用者は孔２８０ｆにより形成される開口から容易に水素ガスを吸引することができる。つまり、孔２８０ｅおよび孔２８０ｆのうちいずれか一方は、利用者が首から顔を露出させる孔として機能し、孔２８０ｅおよび孔２８０ｆのうちいずれか他方は、水素ガスが流出し利用者が水素ガスを吸引するための孔として機能する。孔２８０ｅ，２８０ｆは、それぞれ一般的な体格を有する利用者の顔や首の寸法に対応した寸法に設定されている。
【００１９】
水素カプセル２８０には、水素吹き出し口２７０が設けられている。すなわち、水素吹き出し口２７０は、水素カプセル２８０の底壁２８０ａおよび／又は側壁２８０ｂに設けられ、水素発生装置１３０により発生した水素ガスを底壁２８０ａおよび／又は側壁２８０ｂから水素カプセル２８０内に吹き出す機能を有している。水素吹き出し口２７０は、接続ライン１５０ｂからの分岐ライン１５０ｃと接続されており、水素発生装置１３０により発生した水素ガスは、ポンプ１３５を介して水素吹き出し口２７０に供給される。
【００２０】
次に、純水生成装置１２０は、接続ライン１２０ａを介して水源１０５と接続されており、水源１０５から供給された水道水から純水を生成する機能を有している。純水生成装置１２０は、イオン交換樹脂を有しており、イオン交換樹脂によるイオン交換処理により水道水から不純物を除去して純水を生成することができる。なお、接続ライン１２０ａは、接続ライン１１０ａからの分岐されたラインとなる。
【００２１】
水素発生装置１３０は、接続ライン１３０ａを介して純水生成装置１２０と接続されており、純水生成装置１２０により生成された純水から水素より詳しくは水素ガスを発生させる機能を有している。水素発生装置１３０は、純水を電気分解することにより水素ガスを発生させることができる。水素発生装置１３０は、酸素排出口１３０ｂを有しており、酸素排出口１３０ｂにより、水素ガスの発生により生成された酸素ガスを分離して外部に排出することができ、発生する水素ガスの純度を高純度（高濃度）に設定することができる。本発明においては、水素発生装置１３０により発生する水素ガスの純度は、９９％以上１００％未満、より詳しくは９９，９％以上１００％未満、更に詳しくは９９．９９５％に設定される。水素発生装置１３０により発生した水素ガスは、浴槽１８０および水素水生成器１５０に供給される。つまり、水素発生装置１３０は、水素カプセル２８０に供給するための水素ガスおよび水素水供給口１６０から供給される水素水を生成するための水素ガスを発生させる。
【００２２】
自然水供給器１４０は、自然水の水源に接続されることにより、または、自然水を貯蔵する貯蔵容器に接続されることにより、自然水を供給する機能を有している。自然水供給器１４０により供給される自然水は、水素水供給口１６０から供給される飲料用水素水を生成するために用いられる。
【００２３】
すなわち、水素水生成器１５０により、自然水供給器１４０からの自然水と水素発生装置１３０からの水素ガスとを混合して水素水として生成し、該生成した水素水を、水素水供給口１６０から外部に供給する。このように、水素水に自然水を混合させることにより、健康増進効果や美容効果を更に付加することができる。なお、自然水には、湧水、井戸水、河川水、地下水等が含まれる。
【００２４】
水素水生成器１５０は、接続ライン１５０ａを介して自然水供給器１４０と接続されるとともに、接続ライン１５０ｂを介して水素発生装置１３０と接続されており、自然水供給器１４０から供給された自然水と水素発生装置１３０により発生した水素ガスとを混合して水素水を生成する機能を有している。水素発生装置１３０により発生した水素ガスは、接続ライン１５０ｂに設けられたポンプ１３５を介して水素水生成器１５０に供給される。水素水生成器１５０により生成された水素水は、利用者の飲料用として生成される。
【００２５】
水素水供給口１６０は、接続ライン１６０ａを介して水素水生成器１５０と接続されており、水素水生成器１５０により混合して生成された水素水を外部に供給する機能を有している。すなわち、水素水供給口１６０は、水素カプセル２８０の外部に設けられており、飲料用の水素水を供給する。
【００２６】
これにより、利用者は、水素水を飲料しながら、水素カプセル２８０内で水素ガスと接触して水素浴を行うことができる。また、利用者の周囲に開口が形成されるので、開口から上昇する水素ガスにより利用者が呼吸しながら水素ガスを吸引することができる。
【００２７】
以上説明したように、本発明によれば、水素が供給される水素カプセル２８０を有することとしたので、利用者が、水素カプセル２８０内に入り水素浴を行うことができる。これにより、身体の外部より詳しくは皮膚から水素を摂取することができ、水素の還元効果によって健康増進効果や美容効果を高めることができる。
また、本発明によれば、容器２８０の外部に設けられ水素水が供給される水素水供給口１６０を更に有することとしたので、利用者が、水素水供給口１６０から供給される水素水を飲料しながら水素浴ユニット２００内に入り水素浴を行うことができる。水素水供給口１６０を水素カプセル２８０の上壁の開口近辺に設ける。水素は気化しやすく、飲料用水素水として利用する場合には、水素水を生成した直後でないと気化して、水素還元効果を十分に得られないためである。これにより、身体の外部からのみならず身体の内部からも水素を摂取することができ、水素還元効果をより効率的に享受でき、よって健康増進効果や美容効果を更に高めることができる。
【００２８】
換気ファン１９０は、水素カプセル２８０が備えられる室の天井部分に設けられており、水素カプセル室内の空気と外気とを換気より詳しくは発生した水素ガスと外気とを換気する機能を有している。
検出器１９３は、水素カプセル２８０が備えられる室の天井部分に設けられており、容器２８０の外部における水素濃度を検出する機能を有している。
【００２９】
制御装置１９５は、水素カプセル２８０の外部における水素濃度が規定値を超える場合に水素発生装置１３０を停止させる制御信号を生成する機能を有している。制御装置１９５は、図２に示すように、入力部１９５ａ、判断部１９５ｂ、および信号生成部１９５ｃからなる。すなわち、入力部１９５ａは、検出器１９３により検出された水素濃度の信号データを入力する機能を有している。判断部１９５ｂは、入力部１９５ａにより入力された水素濃度と所定の規定値とを比較し水素濃度が規定値よりも高いか否かを判断する機能を有している。信号生成部１９５ｃは、判断部１９５ｂにより水素濃度が所定の規定値よりも高いと判断されたときに、水素発生装置１３０を停止させる制御信号を生成する機能を有している。なお、水素発生装置１３０の停止とは、水素発生装置１３０の水素発生機能の停止および水素発生装置１３０により発生させた水素ガスの供給機能の停止のうち少なくともいずれか一方を含み、水素発生装置１３０の停止（電源停止等）、水素発生装置１３０により発生させた水素ガスの外部への排出、ポンプ１３５の停止、接続ライン１５０ｂ，１５０ｃに含まれるバルブの閉塞等が含まれる。
【００３０】
ここで、本発明においては、浴室の天井部分に検出器１９３が設けられており、水素カプセル２８０の外部における水素濃度を検出することができる。すなわち、検出器１９０により検出された水素濃度の信号データは、制御装置１９５の入力部１９５ａに入力され、判断部１９５ｂにより、入力された水素ガス濃度が規定値よりも大きいと判断されたときは、信号生成部１９５ｃにより制御信号が生成され水素発生装置１３０を停止させることができる。これにより、容器１８０の外部において水素濃度が高濃度となる場合にあっても、水素発生装置１３０を停止させることができ、安全性を向上させることができる。
【００３１】
更に、水素カプセル２８０および水素水供給口１６０に供給される水素水を生成するための水素を発生させる水素発生装置１３０を有することとしたので、水素を発生させながら水素カプセル２８０に水素を供給し、かつ、水素水を生成して水素水供給口１６０から水素水を供給することができ、水素の酸化等による水素濃度の低下を抑制することができる。
【００３２】
なお、本発明は特許請求の範囲を逸脱しない範囲で各種の応用実施を行うことが可能であることは勿論である。
【産業上の利用可能性】
【００３３】
本発明は、水素が高濃度の状態で供給され、かつ保持される容器を有すること、および、上壁に開口部を設けて水素ガスを口から摂取できるようなこうせいとしたことにより、身体の外部からより詳しくは皮膚から水素を摂取することができ、かつ、さらに身体の内部からも水素ガスの効果を得ることができるようにしたことから健康増進効果や美容効果を更に高めることができる水素浴ユニットを提供する。これにより水素浴ユニットの新たな価値を生み出し業界の発展に大きく貢献する。 
【符号の説明】
【００３４】
１０５：水源
１２０：純水生成装置
１２０ａ：接続ライン
１３０：水素発生装置
１３０ａ：接続ライン
１３０ｂ：酸素排出口
１３５：ポンプ
１４０：自然水供給器
１５０：水素水生成器
１５０ａ：接続ライン
１５０ｂ：接続ライン
１５０ｃ：接続ライン
１６０：水素水供給口
１６０ａ：接続ライン
１９０：換気ファン
１９３：検出器
１９５：制御装置
２００：水素浴ユニット
２７０：水素吹き出し口
２８０：水素カプセル（容器）
２８０ａ：底壁（底部）
２８０ｂ；側壁（側部）
２８０ｃ：上壁（上部）
２８０ｄ：開口
２８０ｅ：孔
２８０ｆ：孔
【図１】
0006340498.tif 000002
【図２】
0006340498.tif 000003
【図３】
0006340498.tif 000004
【図４】
0006340498.tif 000005